(57)【特許請求の範囲】
【請求項１】
上面に配置される天板（５０）と、下面に配置される底板（５１）と、前面に配置され空気の吹出し孔（５９）が設けられた前板（５２）とを有する室外機ケーシング（５）と、
前記室外機ケーシング（５）に収容され、前記前板（５２）の前記吹出し孔（５９）を通って吹出される空気流を生成する送風ファン（３８）と、
前記送風ファン（３８）によって生成される前記空気流を案内するベルマウス（４５）と、
前記送風ファン（３８）を回転駆動するファンモータ（３９）と、
前記ファンモータ（３９）が固定され、上部が前記天板（５０）の前部に固定され下部が前記底板（５１）の前部に固定され、前記送風ファン（３８）の前面側に配置されるファンモータ台（４４）と、
を備え、
前記ベルマウス（４５）と前記ファンモータ台（４４）とは、前記前板（５２）を基準にして位置決めされる、
空気調和機（１）の室外機（３）。
【請求項２】
前記ファンモータ台（４４）と前記ベルマウス（４５）とは、前記前板（５２）の内面に沿って配置される、
請求項１に記載の空気調和機（１）の室外機（３）。
【請求項３】
前記ファンモータ台（４４）は、前記ベルマウス（４５）と前記前板（５２）との間に配置され、前記ベルマウス（４５）と前記前板（５２）とに内接する、
請求項２に記載の空気調和機（１）の室外機（３）。
【請求項４】
前記前板（５２）は樹脂製の部材である、
請求項１から３のいずれかに記載の空気調和機（１）の室外機（３）。
【請求項５】
前記前板（５２）の前記吹出し孔（５９）は、格子（６０）によって仕切られた複数のスリットによって構成されており、
前記ファンモータ台（４４）と前記格子（６０）とは、前記空気流の吹出し抵抗が低減するように配置される、
請求項１から４のいずれかに記載の空気調和機（１）の室外機（３）。
【請求項６】
前記ファンモータ台（４４）は、正面視において鉛直方向に伸び前記格子（６０）と重なるように配置される鉛直部材（６５）を有する、
請求項５に記載の空気調和機（１）の室外機（３）。
【請求項７】
前記前板（５２）と前記ベルマウス（４５）と前記送風ファン（３８）と前記ファンモータ（３９）と前記ファンモータ台（４４）とは、モジュール化されている、
請求項１から６のいずれかに記載の空気調和機（１）の室外機（３）。
【発明の詳細な説明】
【技術分野】
【０００１】
本発明は、空気調和機の室外機に関する。
【背景技術】
【０００２】
空気調和機の室外機は、一般に、送風ファンを回転駆動するファンモータを備えており、ファンモータはファンモータ台を介して室外機に取り付けられる。このファンモータ台は、強度を確保するためには、天板や底板に固定されることが望ましい。そして、天板や底板に固定されるファンモータ台は、従来、送風ファンの上流側に配置されることが多く、室外熱交換器と送風ファンとの間に配置されて天板や底板に固定される。
【０００３】
一方、空気調和機の室外機は、ベルマウスを備えることも多い。ベルマウスは、送風ファンによって生成された空気流を案内する部材であり、送風ファンの周囲を覆うように配置される。また、ベルマウスは、空気を案内するために、送風ファンの近傍から送風ファンの下流側にかけて設けられるため、送風ファンの下流側であって室外機の前面に設けられた前板に固定されることが多い（特許文献１参照）。
【０００４】
このように天板や底板に固定されるファンモータ台を備える空気調和機の室外機では、ファンモータ台とベルマウスとが別々に離れて配置されることが多い。しかし、ファンモータ台とベルマウスとが別々に離れて配置されるような取付構造では、ベルマウスと送風ファンとの間のクリアランスを小さくすることが困難である。すなわち、ファンモータ台とベルマウスとが別々に離れて配置されているため、ファンモータ台とベルマウスとの配置の寸法誤差を小さくすることが困難であり、多少の誤差を見込んでクリアランスを余分に確保する必要がある。ベルマウスの風性能の向上のためには、ベルマウスと送風ファンとの間のクリアランスを小さくすることが望ましいが、上記のような取り付け構造では、クリアランスを小さくすることが困難であり、風性能を向上させることが困難である。
【特許文献１】特開２００３−１２４６４９号公報  （第２図）
【発明の開示】
【発明が解決しようとする課題】
【０００５】
本発明の課題は、風性能を向上させることができる空気調和機の室外機を提供することにある。
【課題を解決するための手段】
【０００６】
請求項１に記載の空気調和機の室外機は、室外機ケーシングと送風ファンとベルマウスとファンモータとファンモータ台とを備える。室外機ケーシングは、上面に配置される天板と、下面に配置される底板と、前面に配置され空気の吹出し孔が設けられた前板とを有する。送風ファンは、室外機ケーシングに収容され、前板の吹出し孔を通って吹出される空気流を生成する。ベルマウスは、送風ファンによって生成される空気流を案内する。ファンモータは、送風ファンを回転駆動する。ファンモータ台は、ファンモータが固定され、上部が天板前部に固定され下部が底板前部に固定され、送風ファンの前面側に配置される。そして、ベルマウスとファンモータ台とは、前板を基準にして位置決めされる。
【０００７】
この空気調和機の室外機では、ファンモータ台の上部と下部とがそれぞれ天板前部と底板前部とに固定されるため、ファンモータとファンモータ台とが室外機ケーシングに強固に取り付けられる。また、ファンモータ台とベルマウスとが、共に前板を基準にして位置決めされるため、ファンモータ台とベルマウスとの配置の寸法の誤差を低減することができる。従って、この空気調和機の室外機では、ベルマウスと送風ファンとの間のクリアランスを小さくすることが容易であり、風性能を向上させることができる。
【０００８】
請求項２に記載の空気調和機の室外機は、請求項１に記載の空気調和機の室外機であって、ファンモータ台とベルマウスとは、前板の内面に沿って配置される。
【０００９】
この空気調和機の室外機では、ファンモータ台とベルマウスとは、前板の内面に沿って配置されるため、前板を基準にしてファンモータ台とベルマウスとが容易に位置決めされる。これにより、この空気調和機の室外機では、ベルマウスと送風ファンとの間のクリアランスを小さくすることが容易であり、風性能を向上させることができる。
【００１０】
請求項３に記載の空気調和機の室外機は、請求項２に記載の空気調和機の室外機であって、ファンモータ台は、ベルマウスと前板との間に配置され、ベルマウスと前板とに内接する。
【００１１】
この空気調和機の室外機では、ファンモータ台は、ベルマウスと前板との間に配置され、ベルマウスと前板とに内接するため、ファンモータとベルマウスとの位置決めがより容易である。このため、この空気調和機の室外機では、ベルマウスと送風ファンとの間のクリアランスを小さくすることがさらに容易であり、容易に風性能を向上させることができる。
【００１２】
請求項４に記載の空気調和機の室外機は、請求項１から３のいずれかに記載の空気調和機の室外機であって、前板は樹脂製の部材である。
【００１３】
この空気調和機の室外機では、前板は樹脂製の部材であるため、板金などで製造される場合と比べて製造費を低減することができる。また、前板にファンモータ台が取り付けられる場合において前板が樹脂製の部材である場合には、ファンモータ台が取り付けられる部分の強度が問題となるが、この空気調和機の室外機では、ファンモータ台の上部が天板前部に固定され下部が底板前部に固定されるため、強度も確保されている。
【００１４】
請求項５に記載の空気調和機の室外機は、請求項１から４のいずれかに記載の空気調和機の室外機であって、前板の吹出し孔は、格子によって仕切られた複数のスリットによって構成されている。そして、ファンモータ台と格子とは、空気流の吹出し抵抗が低減するように配置される。
【００１５】
一般に、ファンモータ台が送風ファンによる空気流の流れの中に置かれると、ファンモータ台によって空気の吹出し抵抗が増大して風性能が低下する恐れがある。
【００１６】
しかし、この空気調和機の室外機では、ファンモータ台と格子とは、空気流の吹出し抵抗が低減するように配置される。このため、空気の吹出し抵抗の増大を抑えることができ、風性能を向上させることができる。
【００１７】
請求項６に記載の空気調和機の室外機は、請求項５に記載の空気調和機の室外機であって、ファンモータ台は、鉛直部材を有する。鉛直部材は、正面視において鉛直方向に伸び、格子と重なるように配置される。
【００１８】
この空気調和機の室外機では、ファンモータ台の鉛直部材は、正面視において鉛直方向に伸び、格子と重なるように配置される。このため、ファンモータ台による空気流の吹出し抵抗の増大を抑えることができる。このため、空気の吹出し抵抗の増大を抑えることができ、風性能を向上させることができる。
【００１９】
請求項７に記載の空気調和機の室外機は、請求項１から６のいずれかに記載の空気調和機の室外機であって、前板とベルマウスと送風ファンとファンモータとファンモータ台とは、モジュール化されている。
【００２０】
この空気調和機の室外機では、前板とベルマウスと送風ファンとファンモータとファンモータ台とがモジュール化されているため、生産性が向上すると共にファンモータ台とベルマウスとを前板を基準にした位置決めが容易である。
【発明の効果】
【００２１】
請求項１に記載の空気調和機の室外機では、ファンモータ台とベルマウスとが、共に前板を基準にして位置決めされるため、ファンモータ台とベルマウスとの配置の寸法の誤差を低減することができる。従って、ベルマウスと送風ファンとの間のクリアランスを小さくすることが容易であり、風性能を向上させることができる。
【００２２】
請求項２に記載の空気調和機の室外機では、ファンモータ台とベルマウスとは、前板の内面に沿って配置されるため、前板を基準にしてファンモータ台とベルマウスとが容易に位置決めされる。これにより、この空気調和機の室外機では、ベルマウスと送風ファンとの間のクリアランスを小さくすることが容易であり、風性能を向上させることができる。
【００２３】
請求項３に記載の空気調和機の室外機では、ファンモータ台は、ベルマウスと前板との間に配置され、ベルマウスと前板とに内接するため、ファンモータとベルマウスとの位置決めがより容易である。このため、この空気調和機の室外機では、ベルマウスと送風ファンとの間のクリアランスを小さくすることがさらに容易であり、容易に風性能を向上させることができる。
【００２４】
請求項４に記載の空気調和機の室外機では、前板は樹脂製の部材であるため、板金などで製造される場合と比べて製造費を低減することができる。また、前板が樹脂製の部材である場合には、ファンモータ台が取り付けられる部分の強度が問題となるが、この空気調和機の室外機では、ファンモータ台の上部が天板前部に固定され下部が底板前部に固定されるため、強度も確保されている。
【００２５】
請求項５に記載の空気調和機の室外機では、ファンモータ台と格子とは、空気流の吹出し抵抗が低減するように配置される。このため、空気の吹出し抵抗の増大を抑えることができ、風性能を向上させることができる。
【００２６】
請求項６に記載の空気調和機の室外機では、ファンモータ台の鉛直部材は格子と重なるように配置されるため、ファンモータ台による空気流の吹出し抵抗の増大を抑えることができる。このため、空気の吹出し抵抗の増大を抑えることができ、風性能を向上させることができる。
【００２７】
請求項７に記載の空気調和機の室外機では、前板とベルマウスと送風ファンとファンモータとファンモータ台とがモジュール化されているため、生産性が向上すると共にファンモータ台とベルマウスとを前板を基準にした位置決めが容易である。
【発明を実施するための最良の形態】
【００２８】
＜空気調和機の全体構成＞
本発明の一実施形態が採用された空気調和機１の外観を図１に示す。
【００２９】
この空気調和機１は、室内の壁面などに取り付けられる室内機２と、室外に設置される室外機３とを備えている。
【００３０】
室内機２内には室内熱交換器７０が収納され、室外機３内には室外熱交換器３０が収納されており、各熱交換器３０，７０が冷媒配管４により接続されることにより冷媒回路を構成している。
【００３１】
＜空気調和機の冷媒回路の構成概略＞
空気調和機１の冷媒回路の構成を図２に示す。この冷媒回路は、主として室内熱交換器７０、アキュムレータ３１、圧縮機３２、四路切換弁３３、室外熱交換器３０および電動膨張弁３４で構成される。
【００３２】
室内機２に設けられている室内熱交換器７０は、接触する空気との間で熱交換を行う。また、室内機２には、室内空気を吸い込んで室内熱交換器７０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。
【００３３】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器７０の一端と接続される。また、四路切換弁３３は、ガス閉鎖弁３７を介して配管４２に接続されており、この配管４２を介して室内熱交換器７０の他端と接続されている。この配管４１，４２は、図１の冷媒配管４に相当する。また、室外機３には、室外熱交換器３０での熱交換後の空気を外部に排出するための送風ファン３８が設けられている。この送風ファン３８は、ファンモータ３９によって回転駆動される。
【００３４】
以下、室外機の構成について詳細に説明する。
【００３５】
＜室外機の構成＞
室外機３は、図３に示すように、室外機ケーシング５（図１参照）、圧縮機３２、四路切換弁３３、電動膨張弁３４（図２参照）、閉鎖弁３６，３７、リアクタ４０、電装品箱４３、室外熱交換器３０、送風ファン３８、ファンモータ３９、ファンモータ台４４、ベルマウス４５などを備えている。
【００３６】
室外機ケーシング５は、主として、天板５０、底板５１、前板５２、左側板５３、右側板５４、閉鎖弁カバー５５、仕切板５６を有している。
【００３７】
天板５０は、室外機３の上面に配置され、室外機３の内部空間の上面を覆う。天板５０は、板金で形成されている。また、天板５０の縁は鉛直方向下向きに屈曲されており、屈曲された部分のうち前側に位置する天板前部５８には、後述する前板組立体６を固定するための固定手段として螺子穴が設けられている。
【００３８】
底板５１は、室外機３の下面に配置され、室外機３の内部空間の下方を覆う。底板５１は板金で形成されている。また、底板５１の縁は鉛直方向上向きに屈曲されており、屈曲された部分のうち前側に位置する底板前部５７には、前板組立体６を固定するための固定手段として螺子穴が設けられている。
【００３９】
前板５２は、室外機３の前面に配置され、室外機３の内部空間の前面を覆う。前板には、空気が吹き出す吹出し孔５９が設けられており、室外機３の内部から外部へと吹出される空気が通る。前板５２については、後により詳細に説明する。
【００４０】
左側板５３は、室外機３の左側面に配置され、室外機３の内部空間の左側方を覆う。左側板５３は板金で形成されている。
【００４１】
右側板５４は、室外機３の内部空間の右側方を覆っている。右側板５４は板金で形成されている。また、右側板５４のさらに右側方すなわち外側には、樹脂製の閉鎖弁カバー５５が取り付けられる。
【００４２】
仕切板５６は、図４に示すように、底板５１に対して垂直に設けられており、室外機３の内部空間を左右に２つの空間に仕切る。仕切板５６に対して左側に位置する空間は、通気室となっており、室外機３の外部から取り込まれ室外熱交換器３０を通って室外へと排出される空気が通る空間となっている。仕切板５６に対して右側に位置する空間は、機械室となっており、通気室からある程度遮断された空間となっている。機械室には、機械部品の多くが収容される。なお、図４は、室外機３の構成の一部を示す斜視概観図であり、理解の容易にために前板５２などを省略して記載している。
【００４３】
圧縮機３２は、機械室に配置されており、底板５１に固定される。四路切換弁３３は、圧縮機３２の側方に配置される。電動膨張弁３４（図２参照）は、圧縮機３２と同様に機械室に配置され、圧縮機３２の側方に配置される。閉鎖弁３６，３７は、右側板５４の下方に配置される。リアクタ４０は、仕切板５６の機械室側の側壁に配置される。電装品箱４３は、機械室の上部に配置される。電装品箱４３には、各種装置の制御を行うためのマイクロコンピュータチップや制御プログラムを格納するメモリなどの制御回路、その他の回路部品が内装されており、圧縮機３２、四路切換弁３３、電動膨張弁３４、リアクタ４０とハーネスなどによって接続される。
【００４４】
室外熱交換器３０は、通気室に配置されており、通過する空気との間で熱交換を行う。室外熱交換器３０は、通気室の後部から左側部に沿って設けられており、略Ｌ字形状の形状を有している。
【００４５】
送風ファン３８、ファンモータ３９、ファンモータ台４４、ベルマウス４５は、通気室に配置されており、前板５２と共にモジュール化された前板組立体６を構成している。以下、前板組立体６の構成について、詳細に説明する。
【００４６】
＜前板組立体の構成＞
図３に示すように、前板組立体６は、前板５２、送風ファン３８、ファンモータ３９、ファンモータ台４４、ベルマウス４５が前板５２を基準にしてモジュール化されて構成されている。
【００４７】
〔前板〕
前板５２は、ポリプロピレンなどの樹脂から形成されており、室外機３の前面に設けられる。前板５２は、ベルマウス４５やファンモータ台４４の前面側に配置されている。前板５２の上端と下端とにはそれぞれ螺子穴が設けられている。前板組立体６が室外機３に固定される際には、前板５２の螺子穴と、天板前部５８と底板前部５７とに設けられた螺子穴とに螺子が通されて、前板５２と天板５０および前板５２と底板５１が螺子止めされる。また、前板５２には、鉛直方向および水平方向に伸びる格子６０（図７参照）が設けられており、格子６０によって仕切られた複数のスリット状の吹出し孔５９が設けられている。送風ファン３８によって生成され、室外機３の背面から通気室に吸い込まれた空気流は、この吹出し孔５９を通って室外機３の外部へと排出される。また、吹出し孔５９が設けられた部分の中央近傍には、吹出し孔５９が設けられていない円形の中実部６１が設けられており、この中実部６１は正面視においてファンモータ３９と重なる位置に配置されている。
【００４８】
〔送風ファン〕
送風ファン３８は、複数の羽を有するプロペラファンであり、室外熱交換器３０の下流側に位置している。図５に示すように、送風ファン３８は、正面視において、通気室の略中央に配置されている。なお、図５は、室外機３の構成の一部を示す正面図であり、理解の容易のために、ベルマウス４５などを省略して記載している。また、図４に示すように、送風ファン３８の中心には、ファンモータ収容部６２が設けられている。ファンモータ収容部６２は、一方の底面が開口した中空の円筒形状を有しており、送風ファン３８が室外機３に収容された状態では、この開口が前面側すなわち下流側に向くように配置される。ファンモータ収容部６２には、ファンモータ３９が前面側から挿入されて収容される。送風ファン３８は、ファンモータ３９の回転軸に固定され、ファンモータ３９によって前後方向に平行な軸を中心に回転駆動される。送風ファン３８によって生成された空気流は、室外機３の背面側から通気室へと取り込まれ、室外熱交換器３０、ベルマウス４５、前板５２の吹出し孔５９を通って、室外機３の外部へと排出される。
【００４９】
〔ベルマウス〕
図３および図６に示すベルマウス４５は、ポリプロピレンなどの樹脂から形成されており、送風ファン３８によって生成され室外へと吹き出す空気流を案内する空気経路を形成する。ベルマウス４５は、前板５２の内面に沿って前板５２の内面に固定され、送風ファン３８の周囲を覆うように配置される。送風ファン３８によって生成された空気流は、外部から室外機３の背面側を通って通気室に取り込まれ、室外熱交換器３０を通り、ベルマウス４５の開口および前板５２の吹出し孔５９を通って室外機３の外部へと吹き出す。ベルマウス４５は、図３に示すように、円筒部６３と平面部６４とを有している。
【００５０】
円筒部６３は、薄肉の中空円筒形状を有している。円筒部６３は、ベルマウス４５の後側部分に設けられており、送風ファン３８によって生じる空気流が通る円形の開口を構成している。円筒部６３は、開口の中心が送風ファン３８の回転軸と一致するように配置されている。この円筒部６３の内側には、送風ファン３８の前側の一部が挿入される（図６参照）。
【００５１】
平面部６４は、正面視において長方形の外形を有する薄肉の部材であり、ベルマウス４５の前面側部分に設けられている。平面部６４は、その面積の大部分が円形の開口によって占められている。この開口の縁は、円筒部６３に連続しており、送風ファン３８によって生じた空気が通り抜ける。平面部６４は、上端と下端とに螺子穴が設けられており、螺子止めされることによって前板５２の内面に固定される。従って、ベルマウス４５は、前板５２の内面に取り付けられ、前板５２を基準にして位置決めされる。
【００５２】
〔ファンモータ〕
ファンモータ３９は、前面側から送風ファン３８の円筒部６３に挿入されて、送風ファン３８に取り付けられる。ファンモータ３９は、回転軸が室外機３の前後方向に平行に位置するように配置される。ファンモータ３９の回転軸は送風ファン３８の回転中心に固定され、ファンモータ３９は送風ファン３８を回転駆動する。
【００５３】
〔ファンモータ台〕
ファンモータ台４４は、ファンモータ３９が固定されファンモータ３９を支持する部材であり、板金から形成されている。ファンモータ台４４は、図５および図６に示すように、送風ファン３８の前面側に配置されており、ファンモータ３９の前面側であって、ベルマウス４５の前面側に配置されている。ファンモータ台４４は、前板５２の内面に沿って配置され、前板５２の内面に固定される。従って、ファンモータ台４４は、前板５２を基準にして位置決めされる。また、ファンモータ台４４は、前板組立体６が組み立てられた状態では、前板５２とベルマウス４５との間に位置して前板５２とベルマウス４５とに内接する。ファンモータ台４４は、図５に示すように、正面視において、鉛直方向に長い長方形の外形を有する薄肉の形状を有しており、室外機３の上面および下面と略同じ高さまで伸びている。すなわち、ファンモータ台４４は、上下両端が前板５２の上下両端と同じ高さまで延びている。ファンモータ台４４の上端と下端とにはそれぞれ螺子穴が設けられている。この螺子穴は、前板組立体６が組み立てられた状態において、前板５２の上端と下端とにそれぞれ設けられた螺子穴と一致するように設けられている。そして、前板組立体６が室外機３に固定される際には、前板５２の上端とファンモータ台４４の上端とが共通の螺子によって天板前部５８に螺子止めされる。また、前板５２の下端とファンモータ台４４の下端とが共通の螺子によって底板前部５７に固定される。
【００５４】
また、ファンモータ台４４には、正面視において、長方形の開口が鉛直方向に並んで複数設けられている。これらの開口は、それぞれファンモータ台４４の左右の幅よりも僅かに小さい左右の幅を有しており、各開口は鉛直方向に近接して配置されている。従って、ファンモータ台４４は、鉛直方向に伸びる細長形状の２つの鉛直部材６５と、左右方向に伸びる細長形状の複数の水平部材６６とによって構成されており、間隔を隔てて配置された鉛直部材６５の間を水平部材６６が繋いだ形状となっている。このため、ファンモータ台４４は、正面視における表面積が小さくなっており、送風ファン３８による通風抵抗が低減している。また、前板組立体６が組み立てられた状態では、図７に示すように、ファンモータ台４４の鉛直部材６５と、前板５２の格子６０の一部とが重なるように配置される。このため、送風ファン３８による通風抵抗がさらに低減している。
【００５５】
＜特徴＞
（１）
従来、強度を確保するためにファンモータ台４４が天板５０と底板５１とに固定される構造を有する空気調和機１の室外機３では、ファンモータ台４４は、ファンモータ３８と室外熱交換器３０との間に配置されることが多い。この場合、空気調和機１の室外機３の組立時においては、ファンモータ台４４、ファンモータ３９、送風ファン３８が背面側ｂから順に固定され、底板５１にファンモータ台４４の下端が固定される。そして、これらとは別に、前板５２とベルマウス４５とが固定される。その後、ベルマウス４５の開口に送風ファンが挿入されると共に、前板５２が底板５１に固定される。この場合、送風ファン３８はファンモータ台４４を介して底板５１を基準に位置決めされるのに対して、ベルマウス４５は前板５２を基準に位置決めされる。このため、送風ファン３８とベルマウス４５との位置の寸法精度を向上させることは困難であり、ベルマウス４５の開口の内周面と送風ファン３８の外周との間のクリアランスを小さくすることが困難である。室外機３における風性能の向上のためには、ベルマウス４５と送風ファン３８との間のクリアランスを小さくすることが望ましいが、従来の空気調和機１の室外機３では、ファンモータ台４４の取付部分の強度を確保しつつクリアランスを小さくすることが困難であった。
【００５６】
この空気調和機１の室外機３では、ファンモータ台４４とベルマウス４５と前板５２とが、前板５２を基準に一体的に組み合わされる。このため、ファンモータ台４４とベルマウス４５とは、それぞれ前板５２を基準に位置決めされる。従って、送風ファン３８とベルマウス４５との位置の寸法精度が向上して、送風ファン３８とベルマウス４５とのセンタ合わせが容易である。これにより、ベルマウス４５の開口の内周面と送風ファン３８の外周とのクリアランスを小さくすることが容易であり、風性能の向上や風性能のバラツキの低減が可能である。
【００５７】
（２）
この空気調和機１の室外機３では、送風ファン３８とベルマウス４５との位置の寸法精度が向上している。このため、前板５２の格子６０とファンモータ台４４の鉛直部材６５とを正面視において同じ位置にして重ね合わせることが容易である。このため、通気室および前板５２を通って吹出される空気流の通風抵抗をより低減させることができる。
【００５８】
（３）
この空気調和機１の室外機３では、送風ファン３８、ファンモータ３９、ファンモータ台４４、ベルマウス４５、前板５２がモジュール化されており、これらの風回りの構成部品がコンパクトに集約される。このため、コストダウンが可能である。また、これらの構成部品を接続する配線処理が容易化される。これにより、この空気調和機１の室外機３では、生産性が向上している。
【００５９】
＜他の実施形態＞
（１）
上記の実施形態では、前板５２は樹脂によって形成されているが、板金によって形成されてもよい。ただし、コストダウンや軽量化の観点からは、前板５２は、樹脂によって形成されていることが望ましい。また、本発明では、ファンモータ台４４が前板５２だけではなく底板５１と天板５０とにも固定されるため、前板５２が樹脂によって形成されても、必要な強度を確保することが容易である。
【００６０】
（２）
上記の実施形態では、前板５２の格子６０とファンモータ台４４の鉛直部材６５とが正面視において重なるように配置されることによって、通風抵抗が低減されているが、他の配置によって通風抵抗が低減されてもよい。例えば、格子６０と水平部材６６とが正面視において重なるように配置されてもよく、また、正面視において、スリットとファンモータ台とを対称性よく配置することによっても、通風抵抗の低減が可能である。また、本発明では、ファンモータ台４４が前板５２を基準に位置決めされるため、配置の寸法精度が向上しており、上記のような配置の室外機３をより精度よく製造することができる。
【産業上の利用可能性】
【００６１】
本発明では、ベルマウスと送風ファンとの間のクリアランスを小さくすることが容易であるため、空気調和機の室外機において風性能を向上させるのに適している。
【図面の簡単な説明】
【００６２】
【図１】空気調和機の外観図。
【図２】冷媒回路の構成図。
【図３】室外機の構成を示す斜視図。
【図４】室外機の一部の斜視図。
【図５】室外機の一部の正面図。
【図６】室外機の一部の上面図。
【図７】前板の拡大正面図。
【符号の説明】
【００６３】
１            空気調和機
３            室外機
５            室外機ケーシング
３８          送風ファン
３９          ファンモータ
４４          ファンモータ台
４５          ベルマウス
５０          天板
５１          底板
５２          前板
５９          吹出し孔
６０          格子
６５          鉛直部材
【図１】
0003632700.tif 000002
【図２】
0003632700.tif 000003
【図３】
0003632700.tif 000004
【図４】
0003632700.tif 000005
【図５】
0003632700.tif 000006
【図６】
0003632700.tif 000007
【図７】
0003632700.tif 000008